(57)【要約】【課題】電解液の蒸発ガスを気密的に覆うカバー部材をケースに強固に取付けることができる電解コンデンサ及びこの電解コンデンサを備える電気機器を提供することを目的とする。【解決手段】電解液を含むコンデンサ素子１ａを密封状態に収納するとともに内部圧力が所定以上になった場合に電解液の蒸発ガスを噴出する安全弁６が設けられたケース３と、このケース３に取付けられ前記安全弁６を覆うように設けられるカバー部材１０と、前記電解液の蒸発ガスが噴出したときに、カバー部材１０がケース３から離脱するのを抑止する第１の固定手段１２と、この第１の固定手段１２による抑止作用を補強する第２の固定手段１１ａとを備えた電解コンデンサ１である。【選択図】図２
2010177526.tif 000002
【特許請求の範囲】
【請求項１】
電解液を含むコンデンサ素子を密封状態に収納するとともに内部圧力が所定以上になった場合に電解液の蒸発ガスを噴出する安全弁が設けられたケースと；
このケースに取付けられ前記安全弁を覆うように設けられるカバー部材と；
前記電解液の蒸発ガスが噴出したときに、カバー部材がケースから離脱するのを抑止する第１の固定手段と；
この第１の固定手段による抑止作用を補強する第２の固定手段と；
を具備することを特徴とする電解コンデンサ。
【請求項２】
前記カバー部材は、開口部を有しており、前記第１の固定手段は、カバー部材を外周側からケースに締め付けるように固定するリング状部材であり、前記第２の固定手段は、開口部の周縁に形成された肉厚部であることを特徴とする請求項１に記載の電解コンデンサ。
【請求項３】
前記ケースの外面には、かしめ部が形成されており、前記第１の固定手段は、かしめ部を利用して取付けられることを特徴とする請求項２に記載の電解コンデンサ。
【請求項４】
回路部品を有する電気回路と；
回路部品として電気回路に設けられた請求項１乃至請求項３のいずれか一に記載の電解コンデンサと；
を具備することを特徴とする電気機器。
【発明の詳細な説明】
【技術分野】
【０００１】
本発明は、電解コンデンサ及びこの電解コンデンサを用いる電気回路を備えた電気機器に関する。
【背景技術】
【０００２】
従来、電気機器として、例えば、放電灯を点灯させる点灯装置は、一般的には、フィルタ回路、整流平滑回路、高周波変換回路及びランプ点灯回路等から構成されており、整流平滑回路には、直流電源の平滑のため電解コンデンサが接続されている。電解コンデンサは、例えば、陽極箔と陰極箔からなる一対の電極間に電解紙を挟み巻回した電解コンデンサ素子に電解液を含浸させ、この含浸済みの素子に封口ゴムを取付け、有底筒状のケース内に入れて封止されている。
【０００３】
電解コンデンサは、経年変化に伴って、電解液が蒸発して減少し、寿命末期には、電解液の減少による容量低下に加えて電解液の等価直列抵抗（ＥＳＲ）が上昇し、温度上昇する。やがて、リップル電流により発熱が大きくなり、熱暴走を引き起こし、急激に温度上昇し、電解液の沸点を超えて電解液の蒸発ガスが発生し、その圧力でケースが破裂する虞がある。そのためケースの一部に安全弁が設けられたものがあり、電解液の蒸発ガスでケース内の圧力が所定圧力以上に達した場合、安全弁が作動し、電解液の蒸発ガスを外部に噴出させ、ケースが破裂するのを防止するようにしている。安全弁が作動することは、ケース内の異常な圧力上昇を抑えることを目的とした正常な動作であるが、外部に噴出した電解液の蒸発ガスが煙に見えることから、使用者が焼損による発煙と誤認し、火災と判断してしまいやすい現象を呈する。
【０００４】
従来、このような現象を防止するため、安全弁から外部に放出された気体を収容する外側気密手段を備えた電解コンデンサ（特許文献１参照）や収容部、縦伸縮部及び環状伸縮部からなるキャップを取付けた電解コンデンサ（特許文献２参照）が提案されている。
【先行技術文献】
【特許文献】
【０００５】
【特許文献１】特開２００５−４４８６８号公報
【特許文献２】特開２００６−２８６９６９号公報
【発明の概要】
【発明が解決しようとする課題】
【０００６】
しかしながら、特許文献１に示されたものは、外側気密手段の開口端を金属ケースにおける大径の上部と小径の下部との間の段部に引っ掛けることにより、外側気密手段を金属ケースに係止するものである。また、特許文献２に示されたものは、環状のゴム等を内蔵した環状伸縮部によって、その収縮でキャップを金属ケースに取付けるものである。このような外側気密手段の係止やキャップの取付け方法では、電解液の蒸発ガスの噴出力に対応するには十分ではなく、外側気密手段やキャップが蒸発ガスの噴出力によって金属ケースから離脱してしまう可能性がある。
【０００７】
本発明は、上記事情に鑑みなされたもので、電解液の蒸発ガスを気密的に覆うカバー部材をケースに強固に取付けることができる電解コンデンサ及びこの電解コンデンサを備える電気機器を提供することを目的とする。
【課題を解決するための手段】
【０００８】
請求項１に記載の電解コンデンサは、電解液を含むコンデンサ素子を密封状態に収納するとともに内部圧力が所定以上になった場合に電解液の蒸発ガスを噴出する安全弁が設けられたケースと；このケースに取付けられ前記安全弁を覆うように設けられるカバー部材と；前記電解液の蒸発ガスが噴出したときに、カバー部材がケースから離脱するのを抑止する第１の固定手段と；この第１の固定手段による抑止作用を補強する第２の固定手段と；を具備することを特徴とする。
【０００９】
本発明及び以下の発明において、特に指定しない限り用語の定義及び技術的意味は次による。安全弁は、ケースの内部圧力が所定以上になった場合に電解液の蒸発ガスを逃がす機能を有していればよく、その形態や配設位置は格別限定されるものではなく、また、カバー部材は、シリコーン樹脂等の材料が適用できるが、その材料に格別限定されるものではない。
【００１０】
請求項２に記載の電解コンデンサは、請求項１に記載の電解コンデンサにおいて、前記カバー部材は、開口部を有しており、前記第１の固定手段は、カバー部材を外周側からケースに締め付けるように固定するリング状部材であり、前記第２の固定手段は、開口部の周縁に形成された肉厚部であることを特徴とする。
【００１１】
リング状部材は、合成樹脂や金属材料によって構成することができ、また、例えば、Ｃ字状に形成してもよく、さらに、バンド状の金具やワイヤを用いてカバー部材を外周側から巻き付けるようにしてもよい。
【００１２】
基本的には、第１の固定手段であるリング状部材によって、カバー部材の離脱は抑止されるが、例えば、電解液の蒸発ガスが噴出すると、一部の液状化した蒸発ガスがケースの外面とカバー部材の内面との間に入り込み、すなわち、リング状部材が取付けられている部分において、ケースの外面とカバー部材の内面との間に液状化した蒸発ガスが入り込み、この液状化した蒸発ガスが一種の潤滑剤のような作用を呈する場合がある。このような場合、蒸発ガスの噴出圧によって、カバー部材の内面がケースの外面上を滑り、カバー部材が上方へ移動し、カバー部材がケースから離脱してしまう可能性がある。しかしながら、第２の固定手段である肉厚部を設けることにより、カバー部材の移動をストップし、カバー部材の離脱を補強的に抑止できるものである。
【００１３】
請求項３に記載の電解コンデンサは、請求項２に記載の電解コンデンサにおいて、前記ケースの外面には、かしめ部が形成されており、前記第１の固定手段は、かしめ部を利用して取付けられることを特徴とする。
【００１４】
請求項４に記載の電気機器は、回路部品を有する電気回路と；回路部品として電気回路に設けられた請求項１乃至請求項３のいずれか一に記載の電解コンデンサと；を具備することを特徴とする。
【００１５】
電気回路は、例えば、光源の点灯回路やモータの駆動回路等があるが、格別限定されるものではない。回路部品には、例えば、電解コンデンサ等のコンデンサ、チョークコイル等の巻線部品、トランジスタ等のスイッチング素子等、電気回路を構成するうえで必要な部品が含まれる。
【発明の効果】
【００１６】
請求項１に記載の発明によれば、安全弁が作動した場合に、使用者が火災であると誤認することを防止できる。また、カバー部材は、第１の固定手段と第２の固定手段とによってケースから離脱するのを抑止されているため、蒸発ガスの噴出圧で離脱することがなく、取付け状態を確実に保持することができる。
【００１７】
請求項２に記載の発明によれば、請求項１に記載の発明の効果に加え、簡単な構成でカバー部材をケースに固定することができる。
【００１８】
請求項３に記載の発明によれば、各請求項に記載の発明の効果に加え、第１の固定手段の取付け強度の向上を図ることが可能となる。
【００１９】
請求項４に記載の発明によれば、各請求項に記載の発明の効果を奏する電気機器を提供できる。
【図面の簡単な説明】
【００２０】
【図１】電解コンデンサの基本構成を示す平面図及び断面図である。
【図２】本発明の第１の実施形態（実施例１）に係る電解コンデンサを示す断面図である。
【図３】同分解して示す斜視図である。
【図４】同安全弁の作動時を模式的に示す断面図である。
【図５】同じく安全弁の作動時を模式的に示す断面図である。
【図６】本発明の第１の実施形態（実施例２）に係る電解コンデンサを示す断面図である。
【図７】カバー部材の実施例を示す断面図である。
【図８】本発明の第２の実施形態に係る電解コンデンサを示す断面図である。
【図９】同安全弁の作動時を模式的に示す断面図である。
【図１０】本発明の第３の実施形態（実施例１）に係る電解コンデンサを示す断面図及び底面図である。
【図１１】同基板への取付け状態を示す断面図である。
【図１２】本発明の第３の実施形態（実施例２）に係る電解コンデンサの基板への取付け状態を示す断面図である。
【図１３】本発明の第４の実施形態（実施例１）に係る電解コンデンサを示す断面図である。
【図１４】本発明の第４の実施形態（実施例２）に係る電解コンデンサを示す断面図である。
【図１５】本発明の第５の実施形態に係る電解コンデンサを示す断面図である。
【図１６】同分解して示す斜視図である。
【図１７】本発明の第６の実施形態（実施例１）に係る電解コンデンサを示す断面図である。
【図１８】同分解して示す斜視図である。
【図１９】本発明の第６の実施形態（実施例２）に係る電解コンデンサを示す断面図である。
【図２０】同分解して示す斜視図である。
【図２１】本発明の第６の実施形態（実施例３）に係る電解コンデンサを示す断面図である。
【図２２】同分解して示す斜視図である。
【図２３】本発明の電気機器の実施形態としての点灯装置を示すブロック図である。
【図２４】同点灯装置を適用した照明器具を示す斜視図である。
【発明を実施するための形態】
【００２１】
以下、本発明の第１の実施形態に係る電解コンデンサについて図１乃至図７を参照して説明する。なお、各図において同一又は相当部分には同一符号を付し重複した説明は省略する。
【００２２】
まず、電解コンデンサの基本的構成を説明する。図１（ａ）、（ｂ）において、電解コンデンサ１は、ケース本体２を備えている。ケース本体２は、開口部３ａを有する有底円筒状のアルミニウム製のケース３、封口材としての封口ゴム４及び熱収縮性の絶縁性スリーブ５とを備えている。ケース３内には、陽極箔と陰極箔からなる一対の電極間に電解紙を挟み巻回し、例えば、エチレングリコール系の電解液を含浸させた電解コンデンサ素子１ａが収納されている。また、ケース３の開口部３ａには封口ゴム４が挿入されており、封口ゴム４に開口部３ａをかしめてケース３は封止、密封されている。なお、このかしめ部３ｂはリング状凹部を形成している。
【００２３】
一方、ケース３の開口部３ａとは反対側の端面には、ケース３の内部圧力が所定以上になった場合に、ケース３の一部が破れて電解液の蒸発ガスを外部に逃がす安全弁６が設けられている。安全弁６は、ケース３の内部圧力が所定以上になったときに破れるように、ケース３にＫ字形の肉薄部を形成して構成されている。この肉薄部は、Ｘ字形やＹ字形に形成してもよい。また、ケース３は、円筒状の絶縁性スリーブ５によって外周表面が覆われている。絶縁性スリーブ５は、定格電圧、静電容量、極性等が印刷されたＰＥＴ樹脂や塩化ビニル樹脂からなる熱収縮性のスリーブであり、ケース３に被せた後、熱を加え、その収縮によってケース３の外周表面に被覆されるものである。さらに、ケース３の開口部３ａ側には、陽極箔と陰極箔に接続され、封口ゴム４を貫通したリード線７が導出されている。
【００２４】
（実施例１)図２に示すように、電解コンデンサ１には、安全弁６を含んでケース本体２の上面及び側周面を覆うカバー部材１０が取付けられている。このカバー部材１０は、半透明のシリコーン樹脂及びその変性化合物からなるエラストマー、フッ素系やポリエーテルイミドの化合物を含むエラストマー等で形成されおり、伸縮性、耐熱性、弾性を有し、円筒形をなすキャップ状であり、一端部には開口部１１が形成されている。また、この開口部１１の周端縁には、断面が四角形状の肉厚部１１ａが形成されている。
【００２５】
そして、カバー部材１０の開口部１１側は、外周側から弾性を有するリング状部材１２によって締め付けられてケース３に固定されている。このリング状部材１２は、前記ケース３の開口部３ａのかしめ部３ｂを利用して取付けられており、カバー部材１０の固定を確実なものとしている。なお、リング状部材１２は、合成樹脂や金属材料によって構成することができ、また、Ｃ字状に形成されたものでもよく、さらに、バンド状の金具やワイヤを用いてカバー部材１０の開口部１１側を外周側から巻き付けるようにしてもよい。
【００２６】
したがって、カバー部材１０の内側とケース３の外側とで形成される空間は密閉状態であり、ケース３は、カバー部材１０により気密的に覆われている。なお、カバー部材１０は、伸縮性、耐熱性、弾性、また、電解液に対する耐侵食性が高い材料で形成するのが好ましい。
【００２７】
カバー部材１０のケース３への取付けにあたっては、図３に代表して示されるように、キャップ状のカバー部材１０の開口部１１をケース３の上面側から被せる。この状態では、ケース３の上面及び側周面がカバー部材１０によって被覆される状態となる。続いて、リング状部材１２を上方から、その内径を弾性力に抗して広げながらかしめ部３ｂに位置させる。ここで、弾性力に抗する力を解くと、リング状部材１２は、自己の弾性復帰力によりかしめ部３ｂのリング状凹部に嵌合し、カバー部材１０の外周をケース３に締め付けるように固定する。なお、カバー部材１０は、その内径がケース３の外径より小さいものを用いてもよい。この場合は、カバー部材１０の開口部１１をケース３の上面側から被せる際には、開口部１１を広げながらケース３に被せるようにする。
【００２８】
次に、このように構成された電解コンデンサ１の作用について図４を参照して説明する。電解コンデンサ１に過電圧が加わった場合や寿命末期の異常時において、電解液の蒸発ガスでケース３内の圧力が所定圧力以上に達した場合、ケース３が破裂するのを防止するため安全弁６が作動し、Ｋ字形の肉薄部が破れ、電解液の蒸発ガスが外部に噴出する。また、可燃性ガス及び異臭が発生する場合もある。カバー部材１０は、伸縮性を有し、ケース本体２を気密的に覆っているので膨らむことが可能であり、安全弁６が作動した場合、蒸発ガスの噴出圧によって、外方に袋状となって膨らむ状態となる。この状態では、蒸発ガスは、カバー部材１０内に滞留しているので、外部に流出することを防止することができる。このとき、カバー部材１０は、開口部１１側をリング状部材１２によって固定されているので、蒸発ガスの噴出圧でケース３から離脱するのを抑止され、取付け状態を確実に保持することができる。
【００２９】
基本的には、上述のように、カバー部材１０の離脱は抑止されるが、電解液の蒸発ガスが噴出すると、一部の液状化した蒸発ガスがケース本体２の外面とカバー部材１０の内面との間に入り込み、すなわち、リング状部材１２が取付けられているかしめ部３ｂの部分において、ケース本体２の外面とカバー部材１０の内面との間に液状化した蒸発ガスが入り込み、この液状化した蒸発ガスが一種の潤滑剤のような作用を呈する場合がある。このような場合、蒸発ガスの噴出圧によって、カバー部材１０の内面がケース本体２の外面上を滑り、カバー部材１０が上方へ移動し、カバー部材１０がケース３から離脱してしまう可能性がある。
【００３０】
しかしながら、本実施例においては、図５に示すように、例え、カバー部材１０の内面がケース本体２の外面上を滑り、カバー部材１０が上方へ移動したとしても、カバー部材１０の開口部１１には、肉厚部１１ａが形成されているので、カバー部材１０の移動がストップされるようになっている。つまり、肉厚部１１ａは、その肉厚によりリング状部材１２の内径側とケース本体２の外面側との間を通過することができないため、図示矢印のように動き、リング状部材１２に引っ掛って、カバー部材１０は、ケース３から離脱するのを抑止され、確実に保持されるものである。
【００３１】
以上のような構成において、リング状部材１２は、カバー部材１０がケース３から離脱するのを抑止し、肉厚部１１ａは、この抑止作用を補強する役目を担っており、したがって、リング状部材１２は、第１の固定手段として構成され、肉厚部１１ａは、第２の固定手段として構成されている。
【００３２】
なお、安全弁６の作動時のケース３内の圧力は、８〜１０ｋｇｆ／ｃｍ２と仮定できるのでカバー部材１０の伸縮性と破れないように構成することを考慮すると、カバー部材１０の厚さ寸法は、好ましくは５０μｍ以上、より好ましくは０．２ｍｍ以上であることが望ましい。また、電解コンデンサ１の寿命末期時には、電解液が蒸発して減少し、容量は当初の６０％以下になると推定される。このような現象に基づいて、電解液の蒸発ガスを確実にカバー部材１０内で捕捉するには、カバー部材１０の内容積換算で２５０％以上、より好ましくは５００％以上の伸縮性を有することが望ましい。
【００３３】
以上のように本実施例によれば、安全弁６が作動し、電解液の蒸発ガスが噴出すると、カバー部材１０が膨らみカバー部材１０内に蒸発ガスが滞留し、蒸発ガスの外部への流出を防ぐことができる。これにより、安全弁６が作動した場合に、使用者が火災であると誤認することを防止できる。また、カバー部材１０は、リング状部材１２によってケース３に固定されて離脱するのを抑止され、さらに、肉厚部１１ａによってその抑止が補強されているので、カバー部材１０の取付け状態を確実に保持することができる。
【００３４】
（実施例２）図６に示すように、本実施例においては、リング状部材１２をかしめ部３ｂの若干上側の位置で、カバー部材１０の外周側から取付けたものである。本実施例によっても、電解液の蒸発ガスが噴出した場合に、例え、カバー部材１０の内面がケース本体２の外面上を滑り、カバー部材１０が上方へ移動したとしても、カバー部材１０の開口部１１には、肉厚部１１ａが形成されているので、カバー部材１０の移動がストップされる。したがって、カバー部材１０は、ケース３から離脱するのを抑止され、確実に保持されるものである。
以上のように本実施例によれば、実施例１と同様な効果を奏することができる。
【００３５】
次に、図７（ａ）〜（ｉ）を参照してカバー部材１０の各種実施例について説明する。これらは、第２の固定手段としての肉厚部１１ａの態様の変形例を示したものである。
【００３６】
図７（ａ）は、カバー部材１０の開口部１１の周端縁に断面が四角形状の肉厚部１１ａを内周方向に向けて突出するように形成したものである。図７（ｂ）は、同様に、断面が四角形状の肉厚部１１ａを内周方向及び外周方向に向けて突出するように形成したものである。図７（ｃ）及び（ｄ）は、肉厚部１１ａを楔状に形成し、それぞれ内周方向及び外周方向に向けて突出するように形成したものである。図７（ｅ）及び（ｆ）は、肉厚部１１ａを三角形状に形成し、図７（ｇ）、（ｈ）及び（ｉ）は、肉厚部１１ａを円形状に形成したものである。
【００３７】
以上のように構成された各実施例によれば、カバー部材１０がケース３から離脱するのを抑止する作用を補強することが可能となる。また、肉厚部１１ａが内周方向に向けて突出するように形成されている場合には、カバー部材１０のケース３への取付けにあたって、肉厚部１１ａの突出された部分がケース３の下面側に仮止めできるようになり、取付け作業が行い易い効果が期待できる。
【００３８】
次に、本発明の第２の実施形態に係る電解コンデンサについて図８及び図９を参照して説明する。なお、第１の実施形態と同一又は相当部分には同一符号を付し重複した説明は省略する。本実施形態では、上記第１の実施形態の実施例１におけるカバー部材１０の高さ寸法を大きく形成したものである。そして、カバー部材１０の肉厚部１１ａ側がケース３の底面より延出するように、カバー部材１０をケース３に取付けたものである。
【００３９】
このような構成によれば、蒸発ガスの噴出圧によって、カバー部材１０の内面がケース本体２の外面上を滑り、図９の矢印で示すように、カバー部材１０が上方へ移動した場合、肉厚部１１ａによってカバー部材１０の移動がストップされるとともに、移動した分、カバー部材１０が大きく膨らむことができ、電解液の蒸発ガスの捕捉容量を大きくすることができる。
【００４０】
以上のように本実施例によれば、実施例１と同様な効果に加え、電解液の蒸発ガスの捕捉容量を大きくすることが可能となる。
【００４１】
次に、本発明の第３の実施形態に係る電解コンデンサについて図１０乃至図１２を参照して説明する。なお、第１の実施形態と同一又は相当部分には同一符号を付し重複した説明は省略する。
【００４２】
（実施例１）図１０に示すように、カバー部材１０の開口部１１は、縮径した形態をなし、その周縁は、リング状で肉厚の挟持部１３として形成されている。そして、この挟持部１３の下面側からは略等しい間隔をおいて４本の固定脚１４が突出して形成されている。カバー部材１０の取付けにあたっては、カバー部材１０の開口部１１を広げながらケース本体２に被せる。被せた状態では、挟持部１３の内周側は、リード線７に当接し位置決めされる。なお、固定脚１４の本数は格別限定されるものではない。
【００４３】
そして、図１１に示すように、このカバー部材１０が取付けられた電解コンデンサ１をプリント基板ＰＷＢに実装する。この場合、プリント基板ＰＷＢには、予め固定脚１４に対応する挿入孔１５が形成されており、この挿入孔１５に固定脚１４が挿入又は圧入されるようになっている。また、開口部１１の周縁の挟持部１３は、封口ゴム４とプリント基板ＰＷＢの表面との間で挟持された状態で固着され、挟持部１３は、弾性を有しているので、封口ゴム４及びプリント基板ＰＷＢとの密着性が良好で、カバー部材１０の内側とケース本体２の外側とで形成される空間は密閉状態に保持される。よって、封口ゴム４及びプリント基板ＰＷＢは、カバー部材１０を固着するための固定手段を構成していることとなる。なお、挟持部１３は、ケース本体２の底面とプリント基板ＰＷＢの表面との間で挟持するように構成してもよい。
【００４４】
このような構成において、封口ゴム４とプリント基板ＰＷＢの表面との間で挟持された挟持部１３の固着力が弱まり、カバー部材１０がケース２から離脱するような事態が発生したとしても、固定脚１４がプリント基板ＰＷＢの挿入孔１５に挿入又は圧入されているので、カバー部材１０が離脱する方向に作用する力を抑止することができる。ここでは、封口ゴム４及びプリント基板ＰＷＢは、カバー部材１０を固着するための第１の固定手段として構成されており、固定脚１４は、第１の固定手段による固着を補強する第２の固定手段として構成されている。
【００４５】
以上のように本実施例によれば、第１の実施形態と同様な効果に加え、カバー部材１０は、封口ゴム４とプリント基板ＰＷＢの表面との間で挟持されるので、特別な部材を要することなく、第１の固定手段を構成することができる。
【００４６】
（実施例２）図１２に示すように、本実施例では、第２の固定手段としての固定脚１４の先端側を楔状に形成し、プリント基板ＰＷＢの挿入孔１５の孔縁に係止するようにしたものである。したがって、本実施例によれば、固定脚１４による補強を強化することが可能となる。
【００４７】
続いて、本発明の第４の実施形態に係る電解コンデンサについて図１３乃至図１４を参照して説明する。なお、第１の実施形態と同一又は相当部分には同一符号を付し重複した説明は省略する。
【００４８】
（実施例１）図１３に示すように、カバー部材１０の開口部１１の周縁は、リング状で肉厚の挟持部１３として形成されている。この挟持部１３は、内周側と外周側に突出しており、内周側の突出部がケース本体２の底面とプリント基板ＰＷＢの表面との間で挟持するように構成されている。また、外周側の突出部には、電解コンデンサ１の近傍に実装される電子部品１５の下面が当接するように配置されている。
【００４９】
このような構成において、ケース本体２の底面とプリント基板ＰＷＢの表面との間で挟持された挟持部１３の固着力が弱まり、カバー部材１０がケース２から離脱するような事態が発生したとしても、電子部品１５によってカバー部材１０が離脱する方向に作用する力を抑止することができるので、カバー部材１０の取付け状態を確実に保持することができる。
【００５０】
ここでは、ケース本体２及びプリント基板ＰＷＢは、カバー部材１０を固定するための第１の固定手段として構成されており、電子部品１５は、第１の固定手段による固定を補強する第２の固定手段として構成されている。なお、第１の固定手段、第２の固定手段は、必ずしも主従の関係である必要はなく、相補的関係であってもよい。なお、第２の固定手段として、電子部品１５を用いず、特別に固定部材を設けるようにしてもよい。
以上のように本実施例によれば、第１の実施形態と同様な効果を奏することが可能となる。
【００５１】
(実施例２)図１４に示すように、カバー部材１０の開口部１１の周端縁には、リング状の肉厚部１１ａが形成されている。この肉厚部１１ａは、内周側と外周側に突出しており、内周側の突出部は、かしめ部３ｂのリング状凹部に嵌合し、外周側の突出部には、電子部品１５の下面が当接するように配置されている。
【００５２】
このような構成において、電解液の蒸発ガスが噴出した場合に、例え、カバー部材１０の内面がケース本体２の外面上を滑り、カバー部材１０が上方へ移動しようとしたとしても、カバー部材１０の開口部１１には、肉厚部１１ａが形成されているので、電子部品１５によってカバー部材１０の移動がストップされる。したがって、カバー部材１０は、ケース３から離脱するのを抑止され、確実に保持されるものである。
以上のように本実施例によれば、第１の実施形態と同様な効果を奏することが可能となる。
【００５３】
次に、本発明の第５の実施形態に係る電解コンデンサについて図１５及び図１６を参照して説明する。なお、第１の実施形態と同一又は相当部分には同一符号を付し重複した説明は省略する。
【００５４】
図１５に示すように、カバー部材１０の底面に縮径した開口部１１を有している。したがって、カバー部材１０は、安全弁６を含んでケース本体２の上面、側周面及び底面の所定範囲を覆うように取付けられている。カバー部材１０のケース３への取付けにあたっては、図１６に代表して示されるように、キャップ状のカバー部材１０の開口部１１を広げながらケース３の上面側から被せる。その後、リング状部材１２を上方から、カバー部材１０の外周をケース３に締め付けるように固定する。
【００５５】
このような構成において、電解液の蒸発ガスが噴出した場合に、例え、カバー部材１０の内面がケース本体２の外面上を滑り、カバー部材１０が上方へ移動しようとしたとしても、カバー部材１０の開口部１１は、縮径されているのでカバー部材１０の移動が抑止される。したがって、カバー部材１０は、第１の固定手段としてのリング状部材１２によってケース３に固定されて離脱するのを抑止され、さらに、第２の固定手段としての縮径された開口部１１によってその抑止が補強されているので、カバー部材１０の取付け状態を確実に保持することができる。
以上のように本実施例によれば、第１の実施形態と同様な効果を奏することができる。
【００５６】
続いて、本発明の第６の実施形態に係る電解コンデンサについて図１７及び図２２を参照して説明する。なお、第１の実施形態と同一又は相当部分には同一符号を付し重複した説明は省略する。
【００５７】
（実施例１）図１７及び図１８に示すように、カバー部材１０の開口部１１の周端縁には、断面が円形状の肉厚部１１ａが形成されている。そして、この肉厚部１１ａは、かしめ部３ｂのリング状凹部に嵌合するように配設されている。また、リング状部材１２は、かしめ部３ｂの若干上側の位置で、カバー部材１０の外周側から取付けられている。
【００５８】
カバー部材１０の取付けにあたっては、カバー部材１０の開口部１１を広げながらケース本体２に被せ、肉厚部１１ａをかしめ部３ｂのリング状凹部に嵌合する。その後、リング状部材１２を上方から、カバー部材１０の外周をケース３に締め付けるように固定する。したがって、肉厚部１１ａをかしめ部３ｂに嵌合して仮止めができるので、カバー部材１０の取付け作業が行い易い効果を奏する。
【００５９】
（実施例２）図１９及び図２０に示すように、実施例１と異なるのは、カバー部材１０を逆円錐台形状に形成したものである。図２０に示すように、カバー部材１０の底面には縮径した開口部１１が形成されている。したがって、カバー部材１０の取付けにあたっては、カバー部材１０の縮径された開口部１１を広げながらケース本体２に被せる。この場合、肉厚部１１ａの縮径する弾性復帰力により、かしめ部３ｂに強固に取付けることが可能となる。
【００６０】
（実施例３）図２１及び図２２に示すように、カバー部材１０は、全体形状が円筒状であるが、逆円錐台形状の中空部を形成したものである。したがって、カバー部材１０は、上方から下方の開口部１１に向かうに従い漸次肉厚になるように形成されている。カバー部材１０の取付けにあたっては、上記実施例２と同様に、カバー部材１０の縮径された肉厚の開口部１１を広げながらケース本体２に被せる。この場合、肉厚部１１ａの縮径する弾性復帰力により、ケース３の外周に強固に取付けることが可能となる。その後、リング状部材１２を上方から、カバー部材１０の外周をケース３に締め付けるように固定する。
【００６１】
このような各実施例の構成において、例え、カバー部材１０の内面がケース本体２の外面上を滑り、カバー部材１０が上方へ移動したとしても、カバー部材１０の開口部１１側には、肉厚部１１ａが形成されているので、カバー部材１０の移動がストップされるようになっている。
以上のように本実施例によれば、第１の実施形態と同様な効果を奏することができる。
【００６２】
次に、本発明の電気機器の実施形態について図２３及び図２４を参照して説明する。図２３は、電気機器としての点灯装置を示すブロック図、図２４は、点灯装置を適用した照明器具を示す斜視図である。図２３において、電気機器としての点灯装置２０は、電気回路として点灯回路２１を備えている。点灯回路２１は、フィルタ回路２２、整流平滑回路２３、高周波変換回路２４及びランプ点灯回路２５とから構成されており、ランプ点灯回路２５には光源としての蛍光ランプ２６が接続されるようになっている。フィルタ回路２２は、商用交流電源ＡＣに接続され、ノイズによる機器の誤動作や他の機器への障害を防止する機能をなし、整流平滑回路２３は、商用交流を整流平滑し、高周波変換回路２４は、直流を高周波に変換し、ランプ点灯回路２５は、ランプの始動、点灯維持機能を有する。ここで、整流平滑回路２３には、上記各実施形態の電解コンデンサ１が用いられ、接続されている。
【００６３】
図２４において、照明器具３０は、天井面に埋め込まれて設置される埋込形の器具であり、器具本体３１の長手方向の両端にソケット３２が取付けられおり、このソケット３２に光源としての直管形蛍光ランプ２６が接続されている。器具本体３１内には、前記点灯装置２０が収納されている。
【００６４】
このように構成された点灯装置２０に商用交流電源ＡＣを投入すると、フィルタ回路２２を通じて整流平滑回路２３の電解コンデンサ１が充電され、高周波変換回路２４を介して、充電された電圧が高周波電圧として蛍光ランプ２６に供給され、蛍光ランプ２６が点灯する。ここで、電解コンデンサ１の安全弁６が作動し、電解液の蒸発ガスが噴出した場合、カバー部材１０によって蒸発ガスの外部への流出を防ぐことができ、使用者が火災であると誤認することを防止できる。また、カバー部材１０は、ケース本体２に固着されているので、蒸発ガスの噴出圧で離脱することがなく、取付け状態を確実に保持することができ、安定してその機能を発揮することができる。
【００６５】
なお、本発明は、上記各実施形態の構成に限定されることなく、発明の要旨を逸脱しない範囲で種々の変形が可能である。例えば、電気機器としては、点灯装置に限らず、モータを制御する駆動制御装置等にも適用でき、さらに、電解コンデンサを用いる電気回路を備えた他の電気機器にも適用できる。
【符号の説明】
【００６６】
１・・・電解コンデンサ、１ａ・・・コンデンサ素子、３・・・ケース、
３ｂ・・・かしめ部、６・・・安全弁、１０・・・カバー部材、
１１・・・開口部、１１ａ・・・第２の固定手段（肉厚部）、
１２・・・第１の固定手段（リング状部材）、２０・・・電気機器（点灯装置）、
２１・・・電気回路（点灯回路）
【図１】
2010177526.tif 000003
【図２】
2010177526.tif 000004
【図３】
2010177526.tif 000005
【図４】
2010177526.tif 000006
【図５】
2010177526.tif 000007
【図６】
2010177526.tif 000008
【図７】
2010177526.tif 000009
【図８】
2010177526.tif 000010
【図９】
2010177526.tif 000011
【図１０】
2010177526.tif 000012
【図１１】
2010177526.tif 000013
【図１２】
2010177526.tif 000014
【図１３】
2010177526.tif 000015
【図１４】
2010177526.tif 000016
【図１５】
2010177526.tif 000017
【図１６】
2010177526.tif 000018
【図１７】
2010177526.tif 000019
【図１８】
2010177526.tif 000020
【図１９】
2010177526.tif 000021
【図２０】
2010177526.tif 000022
【図２１】
2010177526.tif 000023
【図２２】
2010177526.tif 000024
【図２３】
2010177526.tif 000025
【図２４】
2010177526.tif 000026